(57)【要約】【課題】  強弱２種類のアンカリングの配向膜が安定性良く設けられ、かつ製造工程の簡略化が可能で、表示性能が良好な半透過反射型双安定ネマティック液晶表示装置の提供。【解決手段】  第１の基板１０の液晶層側に短冊状電極４５と強アンカリングの配向膜１６が設けられ、第２の基板２０の液晶層側に電極２５と弱アンカリングの配向膜２６が設けられてなる液晶セル３５が備えられ、短冊状電極４５は、短冊状反射電極４５ａ（反射部Ｒｅｆ）と、反射電極４５ａの幅方向の少なくとも一方の側にはみ出すように設けられた短冊状透明電極４５ｂ（透過部Ｐｅｒ）とから構成され、Ｒｅｆと基板１０との間に凹凸形成樹脂層４６が形成され、Ｒｅｆは樹脂層４６の少なくとも凸部４６ａ上に形成され、Ｐｅｒは樹脂層４６の凹部４６ｂ内の少なくとも底部に形成され、Ｐｅｒ上の液晶層厚とＲｅｆ上の液晶層厚は異なる値とされた液晶表示装置。【選択図】        図１
2005338484.tif 000002
【特許請求の範囲】
【請求項１】
カイラル剤が添加されたネマティック液晶層を挟んで対向する一対の基板のうち観察側と反対側となる一方の基板の液晶層側に短冊状電極と強アンカリングの配向膜が該一方の基板側から順に設けられ、観察側となる他方の基板の液晶層側に電極と弱アンカリングの配向膜が該他方の基板側から順に設けられてなる液晶セルが備えられ、
前記短冊状電極は、光反射性を有する短冊状反射電極と、この反射電極の幅方向の少なくとも一方の側にはみ出すように設けられた短冊状透明電極とから構成され、これら短冊状反射電極と前記短冊状透明電極とが電気的に接続され、前記短冊状反射電極が反射部とされ、前記短冊状透明電極が透過部とされ、前記反射部と前記一方の基板との間に凹凸形成樹脂層が形成され、前記反射部は前記凹凸形成樹脂層の少なくとも膜厚大の領域上に形成され、前記透過部は前記凹凸形成樹脂層の膜厚小の領域に形成され、前記透過部上の液晶層厚と前記反射部上の液晶層厚は異なる値とされ、
前記強アンカリングの配向膜は所定のプレティルト角を有するように形成され、前記弱アンカリングの配向膜は、少なくとも表面に形状異方性が付与された高分子膜からなり、アンカリングエネルギーが前記強アンカリングの配向膜のアンカリングエネルギーの１／２以下とされ、プレティルト角が略０になるように形成され、
前記液晶セルは印加電圧に応じて液晶層の液晶分子の配列が双安定状態のうちいずれかの状態に制御されることを特徴とする半透過反射型双安定ネマティック液晶表示装置。
【請求項２】
前記弱アンカリングの配向膜は、アンカリングエネルギーが１×１０−５Ｊ／ｍ２以上１×１０−３Ｊ／ｍ２以下であることを特徴とする請求項１記載の半透過反射型双安定ネマティック液晶表示装置。
【請求項３】
前記短冊状反射電極の前記液晶層側の表面は微小な凹凸又は複数の凹部が形成された拡散反射面又は微小な凹凸が形成された光散乱面とされていることを特徴とする請求項１又は２に記載の半透過反射型双安定ネマティック液晶表示装置。
【請求項４】
前記一方の基板の液晶層側にカラーフィルタ層が設けられていることを特徴する請求項１乃至３のいずれか一項に記載の半透過反射型双安定ネマティック液晶表示装置。
【発明の詳細な説明】
【技術分野】
【０００１】
本発明は、一旦表示した文字などのデータがリセットされるまで長時間保持される電子ブック、電子手帳等に適用できる半透過反射型双安定ネマティック液晶表示装置に関する。
【背景技術】
【０００２】
単純マトリックス型の駆動方法により表示するモードの液晶表示装置の一種としてネマティック液晶を用いた双安定液晶表示装置が知られている。この双安定液晶表示装置は、ＴＦＴ（薄膜トランジスタ）アクティブ素子を用いないで、高速応答でき、一旦表示したデータを長時間に亘ってメモリ表示可能であるため、省電力化の点で近年注目されている。
従来の双安定ネマティック液晶表示装置としては、上下一対の基板間にネマティック液晶が所定のセルギャップで挟まれ、一方の基板の内面側に強アンカリング（強い配向力）の配向膜が形成され、他方の基板の内面側に弱アンカリング（弱い配向力）の配向膜が形成された液晶セルが備えられたものである。
従来の強アンカリングの配向膜としては、ポリイミド、ポリアミド、ポリビニルアルコール等の有機配向膜にラビングしたものが用いられ、弱アンカリングの配向膜としては斜方蒸着法により形成されたＳｉＯｘ膜、ポリイミド等の有機配向膜に光を照射し改質したもの、或いは溶剤で洗浄処理したもの等が用いられていた（例えば、非特許文献１参照）。
【０００３】
この双安定ネマティック液晶表示装置は、電圧を印加し、さらに印加した電圧の差によって初期状態とは異なる２つの安定状態（双安定状態）を有することができるようになっており、このような表示方式を双安定モードと呼んでいる。
なお、強アンカリングの配向膜が設けられた基板をマスター基板、弱アンカリングの配向膜が設けられた基板をスレーブ基板と呼ぶ。
【非特許文献１】マルチノ  ラガード等（Ph. Martinot-Lagarde  et al.）、ファスト  ビスタブルネマティック  ディスプレイ  ユージング  モノスタブル  サーフェイス  スイッチング（Fast Bistable Nematic Display Using Monostable Surface Switching）、ダイジェスト  オブ  エスアイディー'９７（Digest of SID'97) 、１９９７年、ｐ．４１−４４
【特許文献１】特開平７−７２４８７号公報
【特許文献２】特願２０００−１７１７９４号公報
【発明の開示】
【発明が解決しようとする課題】
【０００４】
ところが従来の双安定ネマティック液晶表示装置は、モノクロ表示タイプの透過型に適用されているのが殆であった（例えば、特許文献１参照）。透過型液晶表示は、液晶パネルの背面側にバックライト装置を設け、この装置から出射されたバックライト光を照明光して用いるために、消費電力が大きくなってしまう。  省電力化のためには双安定ネマティック液晶表示装置を半透過反射型に適用することが考えられる。
薄膜トランジスタを用いた従来のＴＮモードの半透過反射型液晶表示装置の例としては、液晶セルを構成する一対の基板のうち下側の基板の内面側に反射部を兼ねる画素電極が形成され、この電極の下側に設ける絶縁膜に凹部が形成され、さらにこの凹部内に透明なドレイン電極が形成され、この凹部内のドレイン電極の形成部分が透過部とされたものがある。この半透過反射型液晶表示装置では、反射部上の液晶層の厚さが薄くされ、透過部上の液晶層の厚さが厚くされたデュアルギャップ構造とすることにより、透過モードと反射モードの両表示形態での光路差に起因する表示の色付きや色味のバラツキを防止するようにされている（特許文献２）。
また、従来の半透過反射型液晶表示装置としては、液晶セルの内面側（液晶層側）又は外面側（観察側と反対側）に反射膜を形成し、この反射膜が所定の開口率（通常３５％〜６０％）になるように微小開口を形成することにより、半透過反射膜を備えるようにしたものがある。このような半透過反射膜が備えられた液晶表示装置では、微小開口の配置パターンによっては、電極やカラーフィルタ等の規則的パターンとの間でモアレが発生したり、ぎらつきが見えてしまうことがあった。
【０００５】
双安定ネマチック液晶表示装置を半透過反射型に適用しようとすると、デュアルギャプ構造の液晶セル内に強弱２種類のアンカリングの配向膜を設けることとなるために、強弱２種類のアンカリングの配向膜を安定性及び再現性良く設けることが困難であった。それは、双安定モードでは、強弱２種類のアンカリング制御の上で、狭ギャップ化する必要があるために製造工程が煩雑であるのに、下側の基板の内面側に設けた透過部と反射部による凹凸面上にアンカリングが制御された配向膜を形成するのはさらに工程が煩雑になってしまうからである。また、反射膜に微小開口を形成した半透過反射膜を備えるようにした場合には、従来の半透過反射型液晶表示装置と同様に、微小開口の配置パターンと、電極やカラーフィルタ等の規則的パターンとの間でモアレが発生したり、ぎらつきが見えてしまい、表示性能が低下してしまう。
【０００６】
本発明は、上記の課題を解決するためになされたものであって、強弱２種類のアンカリングの配向膜が安定性良く設けられ、かつ製造工程の簡略化が可能で、表示性能が良好な半透過反射型双安定ネマティック液晶表示装置を提供することを目的とする。
【課題を解決するための手段】
【０００７】
上記の目的を達成するために本発明の半透過反射型双安定ネマティック液晶表示装置は、カイラル剤が添加されたネマティック液晶層を挟んで対向する一対の基板のうち観察側と反対側となる一方の基板の液晶層側に短冊状電極と強アンカリングの配向膜が該一方の基板側から順に設けられ、観察側となる他方の基板の液晶層側に電極と弱アンカリングの配向膜が該他方の基板側から順に設けられてなる液晶セルが備えられ、
前記短冊状電極は、光反射性を有する短冊状反射電極と、この反射電極の幅方向の少なくとも一方の側にはみ出すように設けられた短冊状透明電極とから構成され、これら短冊状反射電極と前記短冊状透明電極とが電気的に接続され、前記短冊状反射電極が反射部とされ、前記短冊状透明電極が透過部とされ、前記反射部と前記一方の基板との間に凹凸形成樹脂層が形成され、前記反射部は前記凹凸形成樹脂層の少なくとも膜厚大の領域上に形成され、前記透過部は前記凹凸形成樹脂層の膜厚が薄い領域（前記反射部を形成した領域よりも膜厚が薄い領域）に形成され、前記透過部上の液晶層厚と前記反射部上の液晶層厚は異なる値とされ、
前記強アンカリングの配向膜は所定のプレティルト角を有するように形成され、前記弱アンカリングの配向膜は、少なくとも表面に形状異方性が付与された高分子膜からなり、アンカリングエネルギーが前記強アンカリングの配向膜のアンカリングエネルギーの１／２以下とされ、プレティルト角が略０になるように形成され、
前記液晶セルは印加電圧に応じて液晶層の液晶分子の配列が双安定状態のうちいずれかの状態に制御されることを特徴とする。
【０００８】
かかる構成の半透過反射型双安定ネマティック液晶表示装置では、アンカリングの制御がし易い強アンカリングの配向膜が設けられる一方の基板側に透過部と反射部を設けたことによる凹凸がある短冊状電極を形成し、表面形状が複雑な弱アンカリングの配向膜は他方の基板側に形成することになるので、液晶セル内に２種類のアンカリングの配向膜を形成する際に、強弱２種類のアンカリング制御の上で、狭ギャップ化できるので、強弱２種類のアンカリングの配向膜が安定性良く設けられ、かつ製造工程の簡略化が可能である。
また、観察側と反対側に設けられる一方の基板の液晶層側に形成する電極を短冊状反射電極とこの反射電極の幅方向の一方の側又は両側の短冊状透明電極から構成したことにより、反射電極の幅を制御することにより、目的とする開口率を得ることができる。
また、短冊状電極において短冊状反射電極の幅と上記短冊状透明電極の幅の割合を適宜変更したり、上記短冊状透明電極の形成位置を短冊状反射電極の幅方向の両側又は一方の側又は他方の側に変更することで、他方の基板側の電極やカラーフィルタ等の規則的パターンとの間でモアレが発生しないように回避でき、また、ぎらつきを防止することが可能で、表示の視認性を向上でき、表示性能を良好とすることができる。
また、透過部を短冊状電極の一部に形成した短冊状透明電極からを形成したことにより、透過部を孔状に形成せず、短冊状に形成しているので、透過部を穴状（孔状）に形成した従来タイプに比べて、フォトリソグラフィーによる加工時に発生しがちな、パターン崩れが起きにくい。
また、一方の基板の液晶層側に形成する短冊状電極に透過部としての透明電極と反射部としての反射電極の両方を設けるているため、これら透明電極と反射電極を導通状態にすると、上記短冊状電極の抵抗値を大幅に下げることができる。これにより周波数の高い駆動波形でも波形が変形しにくくなり、駆動面で有利である。
【０００９】
また、他方の基板側の配向膜を少なくとも表面に形状異方性が付与された高分子膜から構成したことにより、他方の基板側の配向膜表面に方位を保ちながら方位角方向及び／または極角方向の配向力を弱く設定できる。
このような表面に形状異方性が付与された弱アンカリングの配向膜は、例えば、転写すべき微細な凹凸模様が表面に形成された転写型を、基板上に電極層を介して形成された高分子膜材料からなる層に押圧し、上記微細な凹凸模様を転写する転写法により容易に作製できるので、大がかりな真空装置等を使用しなくても配向処理が可能である。
また、高分子膜表面に付与する形状を変更することで、配向力を調整可能となる。さらに、上記弱アンカリングの配向膜は、アンカリングエネルギーが上記強アンカリングの配向膜のアンカリングエネルギーの１／２以下とされたことにより、安定した初期配向が可能であり、しかも印加電圧に応じて双安定状態のうち一方の安定状態から他方の安定状態に再現性良く切り替えることができる。
【００１０】
上記構成の本発明の半透過反射型双安定ネマティック液晶表示装置において、前記弱アンカリングの配向膜は、アンカリングエネルギーが１×１０−５Ｊ／ｍ２以上１×１０−３Ｊ／ｍ２以下であることが好ましい。
また、上記いずれかの構成の本発明の半透過反射型双安定ネマティック液晶表示装置において、前記短冊状反射電極の前記液晶層側の表面は、微小な凹凸又は複数の凹部が形成された拡散反射面又は微小な凹凸が形成された光散乱面とされていることが好ましい。
また、上記いずれかの構成の本発明の半透過反射型双安定ネマティック液晶表示装置において、前記一方の基板の液晶層側にカラーフィルタ層が設けられていることが好ましい。一方の基板の液晶層側には弱アンカリングの配向膜よりも表面形状の凹凸が少ない強アンカリングの配向膜が形成されるため、このようなマスター基板側にカラーフィルタ層を設ける方が製造が容易で、強弱２種類のアンカリングの配向膜を安定性及び再現性良く設けることができる。
【００１１】
また、上記いずれかの構成の本発明の半透過反射型双安定ネマティック液晶表示装置において、前記透過部上の液晶層厚は前記反射部上の液晶層厚の２倍の値とされていることが好ましい。このような構成とすることで、反射表示形態で光が液晶層を２回通過する際の光路と、透過表示形態で光が１回液晶層を通過する際の光路を均一化することで両表示形態での光路差に起因する表示の色付きやコントラスト、色味のバラツキを防止できる半透過反射型双安定ネマティック液晶表示装置とすることができる。
【発明の効果】
【００１２】
本発明によれば、強弱２種類のアンカリングの配向膜が安定性良く設けられ、かつ製造工程の簡略化が可能で、表示性能が良好な半透過反射型双安定ネマティック液晶表示装置を提供できる。
このような本発明の半透過反射型双安定ネマティック液晶表示装置は、一旦表示した文字などのデータがリセットされるまで長時間保持される電子ブック、電子手帳等に好適に用いることができ、表示を切り替えた場合に安定して表示でき、表示品質を向上できる。
【発明を実施するための最良の形態】
【００１３】
以下、本発明の半透過反射型双安定ネマティック液晶表示装置の実施の形態を図面を参照して説明するが、本発明は以下の実施の形態に限定されるものではない。
図１は本発明の実施形態である半透過反射型双安定ネマティック液晶表示装置の端部を含む部分断面構造を模式的に示した図である。
図１において、本発明の半透過反射型の双安定ネマティック液晶表示装置１は、カイラルネマティック液晶層３０を挟持して対向する第１と第２の基板（一対の基板）１０、２０とをこれら２枚の基板１０、２０の周縁部に環状に設けられたシール材４０で接着一体化した概略構成のものである。
【００１４】
第１の基板（一方の基板）１０の液晶層３０側には順に、液晶層３０を駆動するための第１の電極層（電極）１５と、絶縁膜からなるトップコート膜（図示略）と、液晶層３０を構成する液晶分子の配向を制御するための第１の配向膜１６とが積層形成されている。また、第２の基板（他方の基板）２０の液晶層３０側には順に、第２の電極層（電極）２５、トップコート膜（絶縁膜）２４、第２の配向膜２６が積層形成されている。
上記の第１の基板１０と第２の基板２０と、これら基板間に設けられた各構成部材により、液晶セル３５が構成されている。
【００１５】
液晶セル３５の観察側と反対側（第１の基板１０の液晶層３０側と反対側）には偏光板及び位相差板の積層体１８が設けられており、液晶セル３５の観察側（第２の基板２０の液晶層３０側と反対側）には、１枚又は複数枚の位相差板２７と、偏光板２８が設けられている。この偏光板２８側が観察者側である。偏光板１８と２８は、これらの透過軸方向がクロスニコルの方向（直交方向）に合わせられている。また後述されるように、反射部と透過部とで、液晶層の複屈折位相差（Δｎｄ，Δｎ：液晶の屈折率異方性、ｄ：液晶層厚）がそれぞれ、典型的には１／４λ、１／２λとなるように、偏光板、位相差板等の光学条件が設定される。
また、偏光板１８の外側には、この液晶表示装置１において透過表示を行うための光源としてのバックライト５が配設されている。
【００１６】
第１と第２の基板１０、２０は、ガラスなどの透明基板から構成されている。
第１の電極層１５は、短冊状電極（例えば走査電極、ＣＯＭ電極）４５を基板１０上に多数整列してストライプ状に配置したものであり、各短冊状電極４５は走査電極駆動回路（図示略）に接続されている。
第２の電極層２５は、ＩＴＯなどの透明導電膜からなる短冊状電極（例えば信号電極）２５ａを第２の基板２０の液晶層側に多数整列してストライプ状に配置したものであり、各第２の電極層２５は信号電極駆動回路（図示略）２５ａに接続されている。
尚、走査電極と信号電極の形成箇所は、上記とは逆の基板位置関係になっていても良い。
【００１７】
図２のＡは、液晶セル３５を観察側から見たときの短冊状電極４５と、第２の電極層２５の配置関係を示す模式図であり、図２のＢは図２のＡのＩＩ−ＩＩ線で断面したときの第１の基板１０上の短冊状電極４５を示す図である。短冊状電極４５と第２の電極層２５は互いに平面視直角に向くように配置されて上記の液晶表示装置１がパッシブマトリクス型とされている。
短冊状電極４５は、図１と図２に示すように光反射性を有する短冊状反射電極４５ａと、この反射電極４５ａの下側に設けられ、かつこの反射電極４５ａの幅方向の両側からはみ出すように設けられた短冊状透明電極４５ｂとから構成されている。各短冊状電極４５において、一方の短冊状透明電極４５ｂ、反射電極４５と、他方の短冊状透明電極４５ｂとがストライプ状に配置されている。
【００１８】
短冊状反射電極４５ａと第１の基板１０との間に凹凸形成樹脂層４６が形成されている。凹凸形成樹脂層４６の少なくとも膜厚大（層厚が大）の領域上に短冊状反射電極４５ａが形成されており、詳しくは凹凸形成樹脂層４６の凸部４６ａの上面及び側面に上記短冊状反射電極４５ａが形成されている。凹凸形成樹脂層４６の膜厚が薄い（層厚が小）の領域（上記反射電極を形成した領域よりも凹凸形成樹脂層の膜厚が薄い領域）に上記短冊状透明電極４５ｂは形成されており、詳しくは凹凸形成樹脂層４６の凹部（孔であってもよい）４６ｂ内の底部及び凸部４６ａの下側に上記短冊状透明電極４５ｂは形成されており、すなわち、本実施形態の短冊状透明電極４５ｂは第１の基板１０と凹凸形成樹脂層４６の間に形成されている。
短冊状反射電極４５ａの両端部と短冊状透明電極４５ｂとは電気的に接続されている。
短冊状反射電極４５ａは、Ａｌ膜などの光反射性と導電性を有する金属膜から形成されている。短冊状透明電極４５ｂは、ＩＴＯ（Indium tin oxide）などの透明導電膜から形成されている。
短冊状反射電極４５ａが第２の基板２０からの入射光を反射する反射部Ｒｅｆとされ、この反射部Ｒｅｆの幅方向の両側からはみ出すように設けられた短冊状透明電極４５ｂが第１の基板１０からの入射光（バックライト）を透過する透過部Ｐｅｒとされており、すなわち、反射部Ｒｅｆの幅方向の両側に透過部Ｐｅｒ、Ｐｅｒが設けられている。
【００１９】
図２中、符号βは短冊状電極４５の幅、ｂは隣接する短冊状電極４５、４５間のスペース幅、ｃは透過部幅、β−２×ｃは反射部幅、αは短冊状電極２５ａの幅、ａは隣接する短冊状電極２５ａ、２５ａ間のスペース幅である。
アクティブ部（上下の短冊状電極で電圧印加される部分、言い換えれば短冊状電極２５ａと短冊状電極４５の交差部分）の全開口率は、｛（α×２×ｃ）＋α×（β―２ｃ）｝／（（α＋ａ）（β＋ｂ））である。
反射部の割合は、α×（β−２×ｃ）／（（α＋ａ）（β＋ｂ））
透過部の割合（開口率）は、（２×α×ｃ）／（（α＋ａ）（β＋ｂ））
【００２０】
反射部Ｒｅｆの寸法は、輝度を考慮して、開口率との関係で設定される。
また、反射部Ｒｅｆの両側の透過部Ｐｅｒ、Ｐｅｒの幅の合計２×ｃと、スペース幅ｂの和が、反射部Ｒｅｆの幅β−２×ｃに等しくならないように、好ましくは大きくなるように設定される（２×ｃ＋ｂ≠β−２×ｃ、好ましくは２×ｃ＋ｂ＞β−２×ｃ）。その理由は、（２×ｃ＋ｂ）と（β−２×ｃ）の関係が上記式を満足しないと、反射部Ｒｅｆの面積と、両方の透過部Ｐｅｒの面積とが等しいと、透過表示する場合に、目視上、選択された電極４５の短冊状透明電極４５ｂと、これの隣の電極４５の短冊状透明電極４５ｂが表示されたように錯覚されて、ドットが（半ピッチ分）ずれたように見えるグリッド効果が生じることがあるからである。
また、（反射部Ｒｅｆの両側の透過部Ｐｅｒ、Ｐｅｒ幅の合計と、スペース幅の和）：（反射部幅）＝（１．２以上１．３以下）：１と設定されることが好ましい（（２×ｃ＋ｂ）：（β−２×ｃ）＝（１．２〜１．３）：１ ）。
【００２１】
第１の配向膜１６は、斜方蒸着法により形成されたＳｉＯｘ膜等から構成された強アンカリングの配向膜で、数度程度の有限のプレティルト角を有するように形成されている。この第１の配向膜１６のアンカリングエネルギーは、１０−５Ｊ／ｍ２程度以上である。第１の配向膜１６は、ストライプ状に配置された多数の短冊状電極４５を覆うように第１の基板１０の液晶層側に形成されている。
このような第１の配向膜１６の形成方法としては、第１の透明電極層１５とトップコート膜が形成された第１の基板１０のトップコート層の表面にＳｉＯを蒸着する際、第１の基板１０の法線方向から測った蒸着角度が約８２．５度の条件で行われる。この第１の配向膜１６の膜厚としては、５０〜１５０ｎｍ程度とされる。
第１の配向膜１６のプレティルト角は、液晶層３０に用いられる液晶の種類によって異なり、２度から７度程度、好ましくは２度から５度とされる
。
【００２２】
第２の配向膜２６は、表面に形状異方性が付与された高分子膜から構成された弱アンカリングの配向膜で、プレティルト角が略０度、好ましくは１度以下、さらに好ましくは０．５度以下になるように形成されたものである。この第２の配向膜２６のアンカリングエネルギーは、第１の配向膜１６を構成する強アンカリングの配向膜のアンカリングエネルギーの１／２以下とされている。この第２の配向膜２６は、トップコート膜２４を覆うように第２の基板２０の液晶層側に形成されている。
【００２３】
配向制御に関する技術的詳細は、本出願人による非特許文献のSID93 DIGEST, 頁957（93'）に記載されているが、第２の配向膜２６の表面形状は、図３及び図４に示すように、第１の方向に沿う微細な凹凸と、この第１の方向に交差する第２の方向に沿う微細な凹凸が形成されている。尚、図４は図３中のIII−III断面図であり、第２の方向に沿った凸条５４の断面を示すものである。
また、第１の方向に沿う微細な凹凸のピッチＰ１は第２の方向に沿うピッチＰ２よりも短くされている。ピッチＰ１は３.０μｍ以下、好ましくは０．０５μｍ以上０．５μｍ以下、ピッチＰ２は５０μｍ以下、好ましくは０．５μｍ以上  ５μｍ以下が良い。
上記のようにピッチＰ２の長さをピッチＰ１よりも長くすることにより、プレティルト角を制御し易い。
【００２４】
また、第１の方向の凹部の深さｄ１（あるいは第１の方向の凸部の高さ）は０.５μm以下、好ましくは０．０１μｍ以上０．２μｍ以下であり、第２の方向の凹部の深さｄ２（あるいは第２の方向の凸部の高さ）は０.５μm以下、好ましくは０．０１μｍ以上０．２μｍ以下である。
また、ドメインの発生がなく、かつ目的とする配向力を得るためには、第２の方向に沿う微細な凹凸の緩斜面５５の基板２０に対する傾斜角θは、０度より大きく、３度以下とするのが好ましい。傾斜角θが０度であると、ドメイン発生が顕著であり、３度を超えると、配向力の低下が徐々に認められるからである。
【００２５】
さらに図４に示すように、第２の方向に沿う微細な凹凸の各凸部は左右が非対称の略三角形状になっている。即ち、三角形の頂点から下ろした垂線ａによって分割された頂角の左右の角度の比ｒ２／ｒ１が１とならない形状とされる。凸条５４の横断面形状としては，ｓｉｎ波に類似した形状、櫛形状、三角形状等各種の形状が考えられる。中でも液晶の配向性を向上する上では、三角形状が最も望ましい。この場合、三角形状の頂部は、丸まっていても、平にカットされていても良い。凸条５４を横断面三角形状とした場合、図４に示すように三角形の頂点から下ろした垂線ａによって分割された頂角の左右の角度の比ｒ２／ｒ１は、１．２以上の範囲であることが望ましい。この範囲の比に設定すると、プレチルト角を略０にできる。
この第２の配向膜２６の膜厚としては、５０〜２００ｎｍ程度とされる。
【００２６】
ピッチＰ１、Ｐ２、傾斜角θが上記の範囲となるような形状異方性を付与することにより第２の配向膜２６のアンカリングエネルギーを１×１０−５Ｊ／ｍ２以上１×１０−３Ｊ／ｍ２以下に制御することができ、好ましくは１×１０−４Ｊ／ｍ２程度に制御するのがよい。第２の配向膜２６のアンカリングエネルギーが１×１０−５Ｊ／ｍ２未満であると、ドメイン発生が顕著かつ双安定配向に不向きとなり、１×１０−３Ｊ／ｍ２を超えると、単安定配向を取り易くなる等、双安定配向に不向きとなるからである。
【００２７】
第２の配向膜２６に用いる高分子膜の材料としては、硬化する前に弱い剪断力により剪断ひずみを付与可能な材料及び／または応力により塑性変形（塑性流動）可能な材料であり、例えば、ポリイミド系、ポリアミド系、ポリビニルアルコール系、エポキシ系、変性エポキシ系、ポリスチレン系、ポリウレタン系、ポリオレフィン系、アクリル系等の樹脂から適宜選択して用いられる。
【００２８】
このような第２の配向膜２６の形成方法としては、例えば、転写すべき微細な凹凸模様（上記第１の方向に沿う微細な凹凸と第２の方向に沿う微細な凹凸を形成するための微細な凹凸模様）が表面に形成された転写型を、基板２０上（液晶層側の面上）に第２の電極層２５、トップコート膜２４を介して形成された上記高分子膜材料からなる層に押圧し、上記微細な凹凸模様を転写する転写法により容易に作製できる。
上記転写型は、例えば、以下のようにして作製されたものである。まず、２倍のコヒーレントなレーザビームを用いるホログラフィク干渉により形成したグレーティングモールド（格子型）を作製する。このグレーティングモールドの表面には、第２の配向膜２６に形成する微細な凹凸模様と同様の微細な凹凸模様が形成されている。
ついで、上記グレーティングモールドをシリコーンゴム層に押圧すると、シリコーンゴム層の表面に上記グレーティングモールドの凹凸模様と逆の凹凸模様が形成される。ついで、グレーティングモールドを剥離すると、シリコーンゴム層からなる転写型が得られる。
【００２９】
液晶層３０は、ネマティック液晶にカイラル剤が添加された、カイラルネマティック相である。
上記ネマティック液晶としては、ビフェニル系、ターフェニル系、フェニルシクロへキサン系、ビフェニルシクロへキサン系、シクロヘキシルカルボン酸エステル系、ピリミジン系等の材料を正の誘電異方性を持つように末端基置換された化合物とし、所望の特性を有するように複数種混ぜて用いられる。
上記カイラル剤としては、コレステリルナノエート等のコレステリック系化合物、あるいはＣＢ−１５のように不整炭素を有するある種のネマティック液晶等が用いられる。
透過部Ｐｅｒ上の液晶層厚ｄ３と反射部Ｒｅｆ上の液晶層厚ｄ４は、異なる値とされており、また、透過部Ｐｅｒ上の液晶層厚ｄ３は反射部Ｒｅｆ上の液晶層厚ｄ４の約２倍（例えば、１．８〜２．４倍の範囲）の値とされていることが先に述べた理由により好ましい。
【００３０】
短冊状反射電極４５ａの液晶セル側の表面は、微小な凹凸又は複数の凹部が形成された拡散反射面とされている。
このような拡散反射面を有する反射電極４５ａとしては後で詳細に説明するような非対称ディンプル反射体か、あるいは対称ディンプル反射体からなるものであることが好ましく、特に、非対称ディンプル反射体であることが好ましい。
【００３１】
この半透過反射型双安定ネマティック液晶表示装置１は、液晶セル３５の背面側にバックライト５を備えているので、明るい屋外や照明が施された明るい室内において使用する場合は、反射表示形態（反射モード）の液晶パネルとしてバックライト５を点灯することなく利用する。ここで第２の基板側から液晶セル３５に入射された外光は基板２０側の各層を通過して液晶層３０を通過し、複数の短冊状反射電極４５ａ（反射部Ｒｅｆ）で反射され、再度液晶層３０を通過し、基板２０側の各層を通過し、観察者の目に到達する。そしてこの間に選択した上下の短冊状電極２５、４５間に通電して液晶分子の配向制御を行い、表示状態を制御して表示を行うことができる。また、液晶層３０は、初期状態での液晶分子の配列が均一な平行配置（液晶のツイスト角が０度）を有し、その初期状態にフレデリクス転位を生じさせる電圧を印加した後に印加される電圧差によって初期状態とは異なる双安定状態を有するようになしたメモリー性双安定型となる。例えば、初期状態での液晶分子の配列が均一な平行配置（液晶のツイスト角が０度）に対して一旦パルス状の電圧印加後に１８０度のねじれ状態が暗状態（黒表示）となるようにした場合に、明状態が液晶分子の配列がユニフォームな平行配置、すなわち、液晶のツイスト角が０度である。又、第２の配向膜２６の配向規制力を、その材料のもつ極性に加えて、表面形状パラメータ（溝状構造のピッチ、深さあるいは傾斜角等）を制御することにより、広い範囲で制御し得るものである。
また、暗い場所において、透過表示形態（透過モード）で使用するには、バックライト５の光源を点灯し、光源から出射されたバックライトは透過部Ｐｅｒを通って液晶セル３５の内部に入射し、液晶層３０を通過し、基板２０側の各層を通過して観察者に至る。これにより透過表示状態を得ることができる。
【００３２】
本実施形態の半透過反射型双安定ネマティック液晶表示装置は、アンカリングの制御がし易い強アンカリングの配向膜が設けられる第１の基板側に凹凸がある短冊状電極４５を形成し、表面形状が複雑な弱アンカリングの配向膜は第２の基板側に形成するようにしたものであるので、液晶セル内に２種類のアンカリングの配向膜を形成する際に、強弱２種類のアンカリング制御の上で、狭ギャップ化できるので、強弱２種類のアンカリングの配向膜が安定性良く設けられ、かつ製造工程の簡略化が可能である。
また、第１の基板１０の液晶層側に形成する電極をストライプ状に配置された短冊状反射電極４５ａと短冊状透明電極４５ｂから構成したことにより、反射電極４５ａの幅を制御することにより、目的とする開口率を得ることができる。例えば、電極４５の幅を一定とした場合に、反射電極４５ａの幅を小さくして、透明電極４５ｂの幅を大きくすると開口率を大きくでき、また、反射電極４５ａの幅を大きくして、透明電極４５ｂの幅を小さくすると開口率を小さくすることができる。
また、短冊状電極４５において短冊状反射電極４５ａの幅と短冊状透明電極４５ｂの幅の割合を適宜変更したり、短冊状透明電極４５ｂの形成位置を図１及び図２に示すように短冊状反射電極４５ａの幅方向の両側又は図５に示すように一方の側又は他方の側に変更することで、第２の基板側の電極２５やカラーフィルタ等の規則的パターンとの間でモアレが発生しないように回避でき、また、ぎらつきを防止することが可能で、表示の視認性を向上でき、表示性能を良好とすることができる。
また、弱アンカリングの第２の配向膜２６は、アンカリングエネルギーが上記強アンカリングの配向膜のアンカリングエネルギーの１／２以下とされたことにより、初期配向状態が安定しており、特に、第２の配向膜２６の初期配向状態が弱い配向規制力を安定して有することができ、しかも印加電圧に応じて液晶分子がツイスト角０度の均一平行配置とツイスト角１８０度のツイスト配置との間を再現性良く切り替えることができる。
【００３３】
なお、上記実施形態においては、短冊状反射電極４５ａが凹凸形成樹脂層４６の凸部４６ａの上面及び側面に形成されている場合について説明したが、図６に示すように短冊状反射電極４５ａが凸部４６ａの上面に形成され、短冊状透明電極４５ｂが凸部４６ａの側面に形成されていてもよい。
また、上記実施形態においては短冊状透明電極４５ｂは凹凸形成樹脂層４６の凹部４６ｂ内の底部及び凸部４６ａの下側（凸部４６ａの下面と第１の基板１０との間）に形成されていたが、図６に示すように凸部４６ａの両側の凹部４６ｂ内の底部にそれぞれ短冊状透明電極４５ｂが形成されたものであってもよい。
第１の基板１０上に形成する短冊状電極が図６に示すような構成である場合、短冊状反射電極４５ａが反射部Ｒｅｆとされ、この反射部Ｒｅｆの幅方向の両側からはみ出すように設けられた短冊状透明電極４５ｂ、４５ｂが透過部Ｐｅｒ、Ｐｅｒとされている。
【００３４】
また、上記実施形態では、第１の基板１０に設けられる短冊状反射電極４５ａの配向膜側の表面が光散乱性を有する光散乱面とされ、該光散乱面は微小な凹凸を有するようにしたものであってもよい。
また、上記実施形態では、モノクロ表示タイプの半透過反射型双安定ネマティック液晶表示装置について説明したが、カラー表示タイプの半透過反射型双安定ネマティック液晶表示装置に適用可能である。カラー表示タイプに適用する場合は、第１の基板１０の内面側（液晶層側）にカラーフィルタ層が設けられることが先に述べた理由により好ましい。
【００３５】
（非対称ディンプル反射体の例）
図７は本実施形態の短冊状反射電極４５ａに用いられる特に好ましい例、非対称ディンプル反射体６１を示す図である。図７に示すように、本実施形態の非対称ディンプル反射体６１は、例えばアルミニウム等からなる平板状の基材６２の表面Ｓ（基準面）に多数の光反射性を有する凹部６３ａ、６３ｂ、６３ｃ、・・・（一般に凹部６３と称する）が互いに不規則に隣接して形成されている。非対称ディンプル反射体６１は、多数の凹部６３が形成された面が、拡散反射面６１ａとされている。
これらの凹部６３は、拡大斜視図を図８に、また拡大断面図を図９に示すように、凹部６３の特定縦断面Ｘにおける内面形状は、凹部の一の周辺部Ｓ１から最深点Ｄに至る第１曲線Ａと、この第１曲線Ａに連続して、凹部の最深点Ｄから他の周辺部Ｓ２に至る第２曲線Ｂとからなっている。これら両曲線は、最深点Ｄにおいて共に基材表面Ｓに対する傾斜角がゼロとなり、互いにつながっている。
【００３６】
第１曲線Ａの基材表面Ｓに対する傾斜角は第２曲線Ｄの傾斜角よりも急であって、最深点Ｄは凹部６３の中心Ｏからｘ方向にずれた位置にある。すなわち、第１曲線Ａの基材表面Ｓに対する傾斜角の絶対値の平均値は、第２曲線Ｂの基材表面Ｓに対する傾斜角の絶対値の平均値より大きくなっている。凹部６３ａ、６３ｂ、６３ｃ、・・・における第１曲線Ａの基材表面Ｓに対する傾斜角の絶対値の平均値は１〜８９゜の範囲で不規則にばらついている。また、凹部６３ａ、６３ｂ、６３ｃ、・・・における第２曲線Ｂの基材表面Ｓに対する傾斜角の絶対値の平均値は０．５〜８８゜の範囲で不規則にばらついている。
【００３７】
両曲線の傾斜角は、いずれもなだらかに変化しているので、第１曲線Ａの最大傾斜角δmax（絶対値）は、第２曲線の最大傾斜角（絶対値）δｂよりも大きくなっている。また、第１曲線Ａと第２曲線Ｂとが接する最深点Ｄの基材表面に対する傾斜角はゼロとなっており、傾斜角が負の値である第１曲線Ａと傾斜角が正の値である第２曲線Ｂとは、なだらかに連続している。
本実施形態の反射体６１において、凹部６３ａ、６３ｂ、６３ｃ、・・・におけるそれぞれの最大傾斜角δmaxは、２〜９０゜の範囲内で不規則にばらついている。しかし多くの凹部は最大傾斜角δmaxが４°〜３５°の範囲内で不規則にばらついている。
【００３８】
またこの凹部６３は、その凹面が単一の極小点（傾斜角がゼロとなる曲面上の点）Ｄを有している。そしてこの極小点Ｄと基材の基材表面Ｓとの距離が凹部６３の深さｄを形成し、この深さｄは、凹部６３ａ、６３ｂ、６３ｃ、・・・についてそれぞれ０．１μｍ〜３μｍの範囲内で不規則にばらついている。
本実施形態においては、凹部６３ａ、６３ｂ、６３ｃ、・・・における各特定縦断面Ｘは、いずれも同じ方向になっている。また、各々の第１曲線Ａが単一の方向に配向するように形成されている。すなわち、何れの凹部でも、図８、図９に示すｘの方向が同一になるように形成されている。
【００３９】
この反射体６１では、各々の第１曲線Ａが単一の方向に配向するように形成されているため、その反射特性は、図１０に示すように、基材表面Ｓに対する正反射の方向からずれたものとなっている。
すなわち、図１０に示すように、ｘ方向の斜め上方からの入射光Ｊに対する反射光Ｋは、正反射の方向Ｋ０よりも、基材表面Ｓに対する方向Ｈにシフトした方向に明るい表示範囲がシフトしたものとなっている。
その結果、特定縦断面Ｘにおける総合的な反射特性としては、第２曲線Ｂ周辺の面によって反射される方向の反射率が増加したものとなる。したがって、特定
の方向に反射光を適度に集中させた反射特性とすることができる。
すなわち、図１１は液晶セル３５の観察側と反対側に非対称ディンプル反射体６１が設けられた本実施形態の半透過反射型双安定ネマティック液晶表示装置１の表示面に、入射角３０°で外光を照射し、受光角を、表示面（反射体の基材表面）に対する正反射の方向である３０゜を中心として、垂線位置（０°）から６０°まで振ったときの受光角（θ°）と明るさ（反射率）との関係を示している。図１１では、比較例として、球面状凹部を有する反射体を用いた半透過反射型双安定ネマティック液晶表示装置の受光角と反射率との関係も示した。
【００４０】
図１１から明らかなように、比較例が受光角約１５°から約４５°までの範囲内でほぼ均等な反射率を示したのに対して、本実施形態の半透過反射型双安定ネマティック液晶表示装置１では、基材表面Ｓに対する正反射の角度である３０゜より小さい反射角度範囲の反射率の積分値が、正反射の角度より大きい反射角度範囲の反射率の積分値より大きくなっている。すなわち、角度２０゜前後の視野において、充分な明るさを達成できるものである。
【００４１】
非対称ディンプル反射体６１の製造方法は、特に限定するものではないが、例えば以下のように製造することができる。
まず、前記凹部の形状を凸面に変換した先端形状を有するポンチ（目打ち具）を作製し、このポンチの先端をアルミニウム基材に対向させ、ポンチのアルミニウム基材に対する相対的な配向方向を一定に保ったまま、打刻ストロークを不規則に変化させ、かつ打刻間隔を不規則に変化させて、アルミニウム基材の所定領域全面を打刻する。打刻ストロークは凹部の深さが所定範囲に入るように調節する。打刻間隔はモアレ模様が発生しないように調節する。
【００４２】
上記のような非対称反射体６１が液晶セル３５の観察側と反対側に備えられた半透過反射型双安定ネマティック液晶表示装置１において、反射体６１は、各凹部６３ａ、６３ｂ、６３ｃ、・・・の第１曲線Ａが、傾斜の緩やかな第２曲線Ｂよりもｘ方向側となるように装着されている。そして、このｘ方向を上側として、文字等の表示がなされるようになっている。
【００４３】
図１２は、非対称反射体６１が液晶セル３５の観察側と反対側に備えられた半透過反射型双安定ネマティック液晶表示装置１の使用状態を示す説明図である。なお、図１２においては、説明の便宜上、半透過反射型双安定ネマティック液晶表示装置１の第１曲線Ａと第２曲線Ｂのみを図示し、その他の構成部材の図示を省略している。
このような半透過反射型双安定ネマティック液晶表示装置１は、ｘ方向を上にして電子ブック、電子手帳等に組み込まれる。この場合半透過反射型双安定ネマティック液晶表示装置１は、反射モードの場合、通常、図１２に示すようにｘ方向を斜め上方として、水平面に対して斜めに設置、又は保持される。すなわち、使用時において、それぞれの凹部における第１曲線Ａが、観察者から見て第２曲線Ｂよりも上方に位置するように設けられている。そして、観察者は、この半透過反射型双安定ネマティック液晶表示装置１を、水平よりも斜め上方から見下ろすのが通常である。
この場合、主として上方から入射する外光（入射光Ｊ）の反射光Ｋは、主として第２曲線Ｂ周辺の面で反射されるので、図１１において説明したように、観察者の足下の方向には反射しにくくなり、正反射の方向Ｋ0よりも上の方向に重点的に反射するようになる。
このため、観察者の通常の観察範囲と明るい表示範囲とが一致して、実用上、明るい表示装置を実現することができる。
第１の基板側の短冊状反射電極４５ａが上記構成の非対称ディンプル反射体から構成した双安定型ネマティック液晶表示装置１は、反射モードとした場合に、入射光を複数の凹部が形成された拡散反射面（反射体表面）で乱反射し、表示面に光源や観察者の顔等が映り込むことを広い視角範囲で抑制する光拡散性を有すると共に、観察者の通常の視角範囲における反射光量を大きくすることができる。また、目的とする液晶表示装置の視角依存性に合わせて、反射輝度−視角特性を制御できる。
【００４４】
（対称ディンプル反射体の例）
図１３は本実施形態の反射体１１に用いられる非対称ディンプルタイプについで好ましい例の対称ディンプル反射体７１を示す図である。
図１３に示すように、本実施形態の対称ディンプル反射体７１は、例えばアルミニウム、銀等からなる平板状の基材７３（反射体用基材）の表面に、その内面が球面の一部をなす多数（複数）の凹部７４が重なり合うように連続して形成されたものである。この対称ディンプル反射体７１は、反射体７１の表面が拡散反射面７１ａとされている。
【００４５】
上記凹部７４の深さを０．１ないし３μｍの範囲でランダムに形成し、隣接する凹部７４のピッチを５ないし５０μｍの範囲でランダムに配置し、上記凹部７４内面の傾斜角を−１８ないし＋１８度の範囲に設定することが望ましい。
特に、凹部７４内面の傾斜角分布を−１８ないし＋１８度の範囲に設定する点、隣接する凹部７４のピッチを平面全方向に対してランダムに配置する点が重要である。なぜならば、仮に隣接する凹部４のピッチに規則性があると、光の干渉色が出て反射光が色付いてしまうという不具合があるからである。また、凹部７４内面の傾斜角分布が−１８ないし＋１８度の範囲を超えると、反射光の拡散角が広がりすぎて反射強度が低下し、明るい反射板が得られない（反射光の拡散角がエアー中で３６度以上になり、液晶表示装置内部の反射強度ピークが低下し、全反射ロスが大きくなる）からである。
【００４６】
また、凹部７４の深さが３μｍを超えると、後工程で凹部７４を平坦化する場合に凸部の頂上が粘着層で埋めきれず、所望の平坦性が得られなくなる。
隣接する凹部７４のピッチが５μｍ未満の場合、反射体形成用母型の製作上の制約があり、加工時間が極めて長くなる、所望の反射特性が得られるだけの形状が形成できない、干渉光が発生する等の問題が生じる。また、実用上、反射体形成用母型の製作に使用し得る３０〜１００μｍ径のダイヤモンド圧子を用いる場合、隣接する凹部７４のピッチを５ないし５０μｍとすることが望ましい。
【００４７】
本実施形態の対称ディンプル反射体７１においては、内面を球面の一部をなす形状とした多数の凹部７４を表面に形成し、しかも凹部７４の深さ、隣接する凹部７４のピッチ等の値を上記の範囲に設定したことにより、凹部内面の傾斜角がある角度範囲で一定の分布を示すようになる。一例として、図１４は本実施の形態の反射体７１における凹部内面の傾斜角の分布を示すものであり、横軸は傾斜角、縦軸はその傾斜角が存在する頻度を示している。この図に示すように、傾斜角は−１８ないし＋１８度の範囲、特に−１０ないし＋１０度の範囲においてほぼ一定の分布を示している。また、凹部７４の内面は球面であり、全方向に対して対称形であるから、この一定の傾斜角分布は、反射体におけるある特定の方向だけでなく、全方向にわたって実現される。
凹部内面の傾斜角はその凹部内面における反射光の反射角を支配すると考えられ、本実施の形態の場合、反射体の全方向に対して傾斜角分布が一定であることから、全方向に対して一様な反射角および反射効率が得られることになり、種々の波長を持つ光をバランス良く反射することができる。すなわち、どの方向から見てもより明るく白い反射板を実現することができる。    
【００４８】
上記の「反射体７１の凹部の深さ」とは反射体表面から凹部の底部までの距離、「隣接する凹部のピッチ」とは平面視したときに円形となる凹部の中心間の距離のことである。また、「凹部内面の傾斜角」とは、図１５に示すように、凹部７４の内面の任意の箇所において０．５μｍ幅の微小な範囲をとったときに、その微小範囲内における斜面の水平面に対する角度θのことである。角度θの正負は、反射体表面に立てた法線に対して例えば図１５における右側の斜面を正、左側の斜面を負と定義する。
なお、本実施の形態における反射体７１の凹部７４の深さ、径、ピッチ等の具体的な数値はほんの一例に過ぎず、適宜設計変更が可能なことは勿論である。
第１の基板側の短冊状反射電極４５ａが上記構成の対称ディンプル反射体から構成した双安定型ネマティック液晶表示装置１は、反射モードとした場合に、全方向に対して一様な反射効率が得られ、種々の波長を持つ光をバランス良く反射することができ、広い視野角と明るい表示面が得られる。
【図面の簡単な説明】
【００４９】
【図１】本発明の実施形態の半透過反射型双安定ネマティック液晶表示装置の部分断面構造を示す図。
【図２】図２のＡは図１の液晶セルを観察側から見たときの上下の短冊状電極の配置関係を模式的に示す平面図であり、図２のＢは図２のＡのＩＩ−ＩＩ線で断面したときの第１の基板上の短冊状電極を示す図。
【図３】図１の液晶表示装置に備えられる弱アンカリングの配向膜を示す斜視図。
【図４】図３の弱アンカリングの配向膜の第２の方向に沿う凹凸の断面図。
【図５】図１の液晶表示装置の液晶セルの強アンカリング基板側に形成される他の例の短冊状電極と、弱アンカリング基板側に形成される短冊状電極との配置関係を模式的に示す平面図。
【図６】図１の液晶表示装置の液晶セルの強アンカリング基板側に形成される短冊状電極の他の例を示す縦断面図。
【図７】本発明の半透過反射型双安定ネマティック液晶表示装置に備えられる非対称ディンプル反射体の部分を示す斜視図。
【図８】図７の非対称ディンプル反射体に形成された一凹部を示す斜視図。
【図９】図７の非対称ディンプル反射体に形成された凹部の特定縦断面における断面図。
【図１０】図７の非対称ディンプル反射体の反射特性の説明図。
【図１１】受光角と反射率との関係を示すグラフ。
【図１２】実施形態の半透過反射型双安定ネマティック液晶表示装置の使用状態の説明図。
【図１３】本発明の半透過反射型双安定ネマティック液晶表示装置に備えられる対称ディンプル反射体の部分を示す斜視図。
【図１４】図１３の対称ディンプル反射体における凹部内面の傾斜角の分布を示す図。
【図１５】図１３の対称ディンプル反射体の凹部内面の傾斜角を説明するための図。
【符号の説明】
【００５０】
１・・・半透過反射型双安定ネマティック液晶表示装置、１０・・・第１の基板（一方の基板）、１５・・・第１の電極層、１６・・・第１の配向膜（強アンカリングの配向膜）、１８・・・偏光板及び位相差板の積層体、２０・・・第２の基板（他方の基板）、２５・・・第２の電極層、２５ａ・・・短冊状電極、２６・・・第２の配向膜（弱アンカリングの配向膜）、２７・・・位相差板、２８・・・偏光板、３０・・・液晶層、３５・・・液晶セル、４０・・・シール材、４５・・・短冊状電極、４５ａ・・・短冊状反射電極、４５ｂ・・・短冊状透明電極、４６・・・凹凸形成樹脂層、４６ａ・・・凸部、４６ｂ・・・凹部、５４・・・凸条、５５・・・緩斜面、６１・・・非対称ディンプル反射体（反射体）、６２・・・基材、６３・・・凹部、６３ａ、６３ｂ、６３ｃ・・・凹部、７１・・・非対称ディンプル反射体（反射体）、７３・・・基材、７４・・・凹部、Ａ・・・第１曲線、Ｂ・・・第２曲線、Ｘ・・・特定縦断面、Ｓ１，Ｓ２・・・周辺部、Ｒｅｆ・・・反射部、Ｐｅｒ・・・透過部。
【図１】
2005338484.tif 000003
【図２】
2005338484.tif 000004
【図３】
2005338484.tif 000005
【図４】
2005338484.tif 000006
【図５】
2005338484.tif 000007
【図６】
2005338484.tif 000008
【図７】
2005338484.tif 000009
【図８】
2005338484.tif 000010
【図９】
2005338484.tif 000011
【図１０】
2005338484.tif 000012
【図１１】
2005338484.tif 000013
【図１２】
2005338484.tif 000014
【図１３】
2005338484.tif 000015
【図１４】
2005338484.tif 000016
【図１５】
2005338484.tif 000017